(57)【要約】【課題】天井側での水漏れや結露に対する不安感を取り除くことができ、しかも、スプリンクラーヘッドの破損による室内散水や、凍結等による誤作動のおそれもないスプリンクラーシステムを提供する。【解決手段】水道管２に接続されたスプリンクラー配管３の上流側に電磁弁７が設けられ、制御盤９により、火災なき平常時は電磁弁７を閉じた状態に保持してスプリンクラー配管３への給水を阻止し、火災時は感知器８からの信号に基づいて電磁弁７を開きスプリンクラー配管３への給水を許容するようになされており、火災なき平常時は、スプリンクラー配管３を天井１４側の領域部分において無水の空気配管にしている。スプリンクラー配管３とスプリンクラーヘッド６とは鳥居配管５で接続されているとよい。【選択図】      図１
2006204644.tif 000002
【特許請求の範囲】
【請求項１】
給水源に接続されると共に、室内天井側のスプリンクラーヘッドを接続したスプリンクラー配管と、
該スプリンクラー配管の上流側に設けられた開閉弁と、
室内の火災を感知する火災感知器と、
火災なき平常時は前記開閉弁を閉じた状態に保持してスプリンクラー配管への給水を阻止し、火災時は前記感知器からの信号に基づいて開閉弁を開きスプリンクラー配管への給水を許容する制御手段と
が備えられ、火災なき平常時は、前記開閉弁を閉じてスプリンクラー配管を天井側の領域部分において無水の空気配管にしていることを特徴とするスプリンクラーシステム。
【請求項２】
天井側のスプリンクラー配管を内部無水の空気配管にする開閉可能な水抜き部が備えられている請求項１に記載のスプリンクラーシステム。
【請求項３】
前記スプリンクラー配管とスプリンクラーヘッドとが鳥居配管で接続されている請求項２に記載のスプリンクラーシステム。
【請求項４】
前記鳥居配管の、スプリンクラー配管側に接続された立ち上がり管にタンクが介設されている請求項３に記載のスプリンクラーシステム。
【発明の詳細な説明】
【技術分野】
【０００１】
本発明は、住宅などに備えられるスプリンクラーシステムに関する。
【背景技術】
【０００２】
住宅用等のスプリンクラーシステムとして、スプリンクラー配管が水道管に接続され、該スプリンクラー配管の下流側の先端部が給水用の蛇口や、トイレの給水タンク等に接続され、スプリンクラー配管が、火災なき平常時には日常の給水に用いられ、火災時にはスプリンクラーヘッドを通じた室内への散水に用いられるようになされたものは、従来より提供されている。
【発明の開示】
【発明が解決しようとする課題】
【０００３】
しかしながら、上記のようなシステムでは、スプリンクラー配管に生活用水を送る給水管としての機能も併せもたせているため、水がスプリンクラー配管内に常に存在し、そのため、スプリンクラー配管がスプリンクラーヘッドと共に居室等の室内の天井側を延ばされる関係で、スプリンクラー配管からの水漏れや結露に対する不安感を居住者に抱かせてしまいやすいという問題がある。
【０００４】
また、水がスプリンクラー配管内に常に存在していることで、スプリンクラーヘッドに物が当って破損してしまうと室内に散水してしまうという問題や、冬期の長期不在でスプリンクラー配管内の水が凍結したような場合にスプリンクラーが誤作動を起こすおそれがあるという問題もある。
【０００５】
本発明は、上記のような問題点に鑑み、天井側での水漏れや結露に対する不安感を取り除くことができ、しかも、スプリンクラーヘッドの破損による室内散水や、凍結等による誤作動のおそれもないスプリンクラーシステムを提供することを課題とする。
【課題を解決するための手段】
【０００６】
上記の課題は、給水源に接続されると共に、室内天井側のスプリンクラーヘッドを接続したスプリンクラー配管と、
該スプリンクラー配管の上流側に設けられた開閉弁と、
室内の火災を感知する火災感知器と、
火災なき平常時は前記開閉弁を閉じた状態に保持してスプリンクラー配管への給水を阻止し、火災時は前記感知器からの信号に基づいて開閉弁を開きスプリンクラー配管への給水を許容する制御手段と
が備えられ、火災なき平常時は、前記開閉弁を閉じてスプリンクラー配管を天井側の領域部分において無水の空気配管にしていることを特徴とするスプリンクラーシステムによって解決される。
【０００７】
このシステムでは、スプリンクラー配管の上流側に開閉弁が設けられ、火災なき平常時は、開閉弁を閉じた状態に保持してスプリンクラー配管への給水を阻止すると共に、スプリンクラー配管を天井側の領域部分において無水の空気配管にしているので、天井側のスプリンクラー配管部分から水漏れを生じたり、結露による水濡れを生じることがなく、それらに対する居住者の不安感を取り除くことができる。
【０００８】
しかも、このように、火災なき平常時は、開閉弁が閉じられ、スプリンクラー配管が天井側の領域部分において無水の空気配管になっていることで、スプリンクラーヘッドの破損による室内散水や、凍結等による誤作動のおそれをなくすことができる。
【０００９】
もちろん、火災時には、感知器がそれを感知し、制御手段によって開閉弁が開かれることで、給水源からスプリンクラー配管に水が送られ、スプリンクラーヘッドを通じた散水によって、消火が行われる。
【００１０】
上記のシステムにおいて、天井側のスプリンクラー配管を内部無水の空気配管にする開閉可能な水抜き部が備えられているとよい。この場合は、メンテナンス時や検査時、火災感知時等にスプリンクラー配管に給水が行われた場合であっても、スプリンクラー配管内の水を水抜き部を開くことによって抜くことができ、スプリンクラー配管を天井領域部分において無水の空気配管に戻すことができる。
【００１１】
しかも、水抜き部は開閉可能であるから、火災時には、水抜き部を閉じた状態にすることによって、スプリンクラーヘッドを通じて室内に勢い良く散水することができる。
【００１２】
ところで、火災時に感知器がそれを感知しスプリンクラー配管上流側の開閉弁が開いてスプリンクラー配管内に給水が確実に行われるかどうかの検査を、年に一回など、定期的に行っていく必要がある場合がある。
【００１３】
ところが、スプリンクラー配管とスプリンクラーヘッドとでは、スプリンクラーヘッドの方が下位に位置するため、検査でスプリンクラー配管内に給水が行われると、水抜き部を開いてスプリンクラー配管内の水を抜いても、スプリンクラー配管とスプリンクラーヘッドとの接続部分に水が残ってしまい、その残水が水漏れ等の不具合を生じさせるおそれがある。
【００１４】
これを防ぐため、前記スプリンクラー配管とスプリンクラーヘッドとは鳥居配管で接続するとよい。鳥居配管の採用により、上記のような検査において、スプリンクラー配管内への給水が行われても、鳥居配管の、スプリンクラーヘッド側に接続された立ち上がり管内に水が入り込むのが阻止され、水抜き部を開くことによって、天井領域部分を無水状態に戻すことができて、水漏れ等の不具合の発生を防ぐことができる。
【００１５】
特に、鳥居配管の、スプリンクラー配管側に接続された立ち上がり管にタンクが介設されている場合は、検査でスプリンクラー配管内への給水が行われても、鳥居配管の、スプリンクラーヘッド側に接続された立ち上がり管内に水が入り込むのをより効果的に阻止することができる。
【００１６】
なお、鳥居配管の寸法やタンクの容量等は、検査を、水抜き部を開いた状態で行うか否か、スプリンクラーヘッドを閉じた状態で行うか否か、検査でどの程度の水量をスプリンクラー配管内に送り込むかなどを考慮して適宜に決められてよい。
【発明の効果】
【００１７】
本発明のスプリンクラーシステムは、以上のとおりのものであるから、天井側での水漏れや結露に対する不安感を取り除くことができ、しかも、スプリンクラーヘッドの破損による室内散水や、凍結等による誤作動のおそれがない。
【発明を実施するための最良の形態】
【００１８】
次に、本発明の実施最良形態を図面に基づいて説明する。
【００１９】
図１（イ）に示す第１実施形態のスプリンクラーシステムは、住宅用建物１などに用いられるもので、給水源としての水道管２にスプリンクラー配管３が接続され、スプリンクラー配管３は、居室４の天井裏を延ばされ、鳥居配管５…を介して、居室４の天井部１４に設けられたスプリンクラーヘッド６…に接続されている。なお、スプリンクラーヘッド６…は、熱に反応して開く一般的なものが用いられてよいし、その他のものが用いられてもよい。
【００２０】
そして、スプリンクラー配管３の上流側には、開閉弁としての電磁弁７が設けられると共に、居室４の天井面１４には警報機能付きなどの火災感知器８が設けられ、かつ、制御手段としての制御盤９が建物１に設けられることによって、火災なき平常時は、電磁弁７が閉じられた状態に保持されてスプリンクラー配管３への給水が阻止され、火災時は感知器８からの信号に基づいて電磁弁７を開いてスプリンクラー配管３への給水を許容する制御を制御盤９が行うようになされており、上記のシステムが建物に組み込まれた状態で、スプリンクラー配管３は、火災なき平常時は、電磁弁７が閉じられた状態にされていることによって、天井１４側の領域部分において、無水の空気配管にされている。
【００２１】
また、本実施形態のシステムでは、スプリンクラー配管３の例えば下流側に、天井１４側のスプリンクラー配管３を内部無水の空気配管にする開閉可能な水抜き部としての水抜きバルブ１０が設けられ、水抜きバルブ１０を開くことにより、天井１４側の領域部分においてスプリンクラー配管３内に存在する水を排出することができるようになされている。なお、１３は給水用のカランである。
【００２２】
上記のシステムでは、火災なき平常時は、スプリンクラー配管３の上流側の電磁弁７が閉じた状態に保持されてスプリンクラー配管３への給水が阻止されており、スプリンクラー配管３は天井１４側の領域部分において無水の空気配管になっているので、天井１４側のスプリンクラー配管部分から水漏れを生じたり、結露による水濡れを生じることがなく、それらに対する居住者の不安感を取り除くことができる。
【００２３】
しかも、このように、火災なき平常時は、電磁弁７が閉じられ、スプリンクラー配管３が天井１４側の領域部分において無水の空気配管になっていることにより、スプリンクラーヘッド６…の破損による室内散水や、凍結等による誤作動のおそれもなくすことができる。
【００２４】
火災発生時には、感知器８が居室４の熱や煙等を感知し、感知器８に警報機能がある場合は警報が発せられると共に、感知信号に基づいて制御盤９が電磁弁７を開く制御を行う。それにより、水道管２からスプリンクラー配管３に給水が行われ、スプリンクラーヘッド６が熱に反応して作動することによって、居室４内への散水が開始されて、消火が行われる。
【００２５】
また、システムのメンテナンス時や検査時、火災感知時等にスプリンクラー配管３に給水が行われた場合は、スプリンクラー配管３内の水を水抜きバルブ１０を開くことによって抜くことができ、スプリンクラー配管３を天井１４領域部分において無水の空気配管に戻すことができ、しかも、火災時には、水抜きバルブ１０を閉じた状態にすることによって、スプリンクラーヘッド６…を通じて室内に勢い良く散水することができる。
【００２６】
特に、本実施形態では、スプリンクラー配管３とスプリンクラーヘッド６…とを鳥居配管５…で接続しているので、検査において、電磁弁７が開かれて、スプリンクラー配管３内への給水が行われても、鳥居配管５の、スプリンクラーヘッド６側に接続された立ち上がり管５ｂ内に水が入り込むのが阻止され、水抜きバルブ１０を開くことによって、天井１４側の領域部分を無水状態に戻すことができて、水漏れ等の不具合の発生を防ぐことができる。
【００２７】
図１（ロ）に示す第２実施形態のシステムは、電磁弁７とスプリンクラーヘッド６との間のスプリンクラー配管３の部分に流量メーター１１が介設され、電磁弁７が開いて流量メーター１１が所定の一定流量の通過を計測すると、メーター１１からの信号に基づいて、制御盤９が電磁弁７を閉じる制御を行い、スプリンクラーヘッド６…から所定の一定水量だけ散水が行われるようになされた初期消火式に構成されたものである。なお、流量メーターに代えて、タイマーを設け、電磁弁７が開いてから所定の一定時間を経過した後、制御盤９が電磁弁７を閉じる制御を行うようになされていてもよいし、初期消火式にするための消火水量制限手段の具体的構成に制限はない。
【００２８】
図２（イ）に示す第３実施形態のシステムは、各鳥居配管５…の、スプリンクラー配管３側に接続された立ち上がり管５ａにタンク１２を介設したものである。このシステムでは、検査において、図２（ロ）に示すように、電磁弁７が開かれて、スプリンクラー配管３内への給水が行われても、タンク１２…内に水が貯められていくことで、鳥居配管５の、スプリンクラーヘッド６側に接続された立ち上がり管５ｂ内に水が入り込むのをより一層効果的に阻止することができ、また、図２（ハ）に示すように、水抜きバルブ１０を開くことによって、タンク１２…に貯まった水も含めて天井１４領域部分を無水状態に戻すことができて、水漏れ等の不具合の発生を防ぐことができる。
【００２９】
以上に、本発明の実施形態を示したが、本発明はこれに限られるものではなく、発明思想を逸脱しない範囲で各種の変更が可能である。例えば、上記の実施形態では、水抜きバルブが備えられている場合を示しているが、水抜きバルブ等の水抜き部の採用は必要に応じて行われればよい。また、上記の実施形態では、スプリンクラー配管３とスプリンクラーヘッド６…とを鳥居配管５…で接続した場合を示しているが、鳥居配管５の採用は任意である。また、上記の実施形態では、水道管２を給水源とした場合を示したが、貯水槽等を給水源としてもよい。また、上記の実施形態では、スプリンクラー配管３が天井１４側領域部分よりも下位から天井１４側に延ばされている場合を示しているが、天井１４側領域部分よりも上位から天井１４側に延ばされていてもよい。更に、スプリンクラー配管の上流側の開閉弁や火災感知器、制御手段、スプリンクラーヘッド、水抜き部等の具体的構成に制限はなく、各種構成のものが採用されてよいし、また、本発明のシステムは住宅用の限られるものでないことはいうまでもない。
【図面の簡単な説明】
【００３０】
【図１】図（イ）は第１実施形態のスプリンクラーシステムの構成を示す説明図、図（ロ）は第２実施形態のスプリンクラーシステムを示す説明図である。
【図２】図（イ）は第３実施形態のスプリンクラーシステムを示す説明図、図（ロ）は検査で天井側のスプリンクラー配管に給水が行われた状態の説明図、図（ハ）は検査後に水抜きを行っている状態を示す説明図である。
【符号の説明】
【００３１】
２…水道管（給水源）
３…スプリンクラー配管
４…居室（室内）
５…鳥居配管
６…スプリンクラーヘッド
７…電磁弁（開閉弁）
８…火災感知器
９…制御盤（制御手段）
１０…水抜きバルブ（水抜き部）
１２…タンク
１４…天井
【図１】
2006204644.tif 000003
【図２】
2006204644.tif 000004